(57)【要約】　　　（修正有）【課題】加入者および情報提供者双方にとって、有用な配信情報を効率的に配信、受信できるシステムの提供。【解決手段】加入者１０１の時間位置情報１０２を自動または手動により、時間位置サーバ１１０へ取得し、時間位置情報データベース１１２を構築し、さらに該データベース１１２を元に統計処理をおこない、統計情報データベース１１３を構築する。この２つのデータベースと顧客情報より構築する公開顧客情報データベース１１５の計３つのデータベースをもとに検索をし、広告代理店等の情報提供者１０４より提供される広告等の配信情報１０５を配信する。また、検索条件１０６により個人の特定をさけるために検索結果の個数を制限する仕組みと、検索キーの個数と検索結果の個数に対しての課金をする仕組みを設ける。【選択図】　図１
2004126897.tif 000002
【特許請求の範囲】
【請求項１】
情報を受信する対象の位置情報と時間情報を関連づけた時間位置情報を記憶する手段と、記憶した該時間位置情報を利用して該情報を受信する対象に広告情報を通知する手段を備えることを特徴とする広告配信システム。
【請求項２】
請求項１で、該時間位置情報を統計処理した統計情報を生成し記憶する手段と、記憶した該統計情報を利用して情報を受信する対象に広告情報を通知する手段を備えることを特徴とする広告配信システム。
【請求項３】
請求項１または２で、情報を受信する対象の公開できる公開顧客情報を記憶する手段と、記憶した該公開顧客情報を利用して情報を受信する対象に広告情報を通知する手段を備えることを特徴とする広告配信システム。
【請求項４】
請求項１から３のうちいずれかで、該時間位置情報と該統計情報と該公開顧客情報を検索し検索結果を生成する手段と、該検索結果を利用して情報を受信する対象に広告情報を通知する手段を備えることを特徴とする広告配信システム。
【請求項５】
請求項１から４のうちいずれかで、情報提供者から広告情報と情報を受信する対象を特定するための検索条件を取得する手段と、該検索条件を利用して情報を受信する対象に広告情報を通知する手段を備えることを特徴とする広告配信システム。
【請求項６】
請求項１から５のうちいずれかで、該検索条件と該検索結果に課金処理し利用情報を生成する手段と、該利用情報を該情報提供者へ通知する手段を備えることを特徴とする広告配信システム。
【請求項７】
請求項１から６のうちいずれかで、情報を受信する対象を一定個数以下になった時に、広告配信をしない手段を備えることを特徴とする広告配信システム。
【発明の詳細な説明】
【０００１】
【発明の属する技術分野】
本発明は、位置情報を用いた情報配信システムおよび情報配信サービスに関する。
【０００２】
【従来の技術】
【特許文献１】
特開２００１−２４３２３９
従来、位置情報を用いた情報配信システムは、加入者が特定の場所に近づいた時、または到着した時に情報を配信するシステムが開示されている。例えば、特開２００１−２４３２３９では、特定地域にどのような人がいるかを表す情報をもとに配信情報を配信するシステムを開示している。
【０００３】
【発明が解決しようとする課題】
従来の様に、加入者が特定の場所に近づいた時、または到着したときに配信される情報は、加入者は、唐突に情報を受け取る場合が多くなり、必ずしも加入者にとって有効な情報となり得ない場合が多くなる。情報提供者にとっても、効率的な情報配信でない場合が多い。本発明の課題は、加入者および情報提供者双方にとり、有用な配信情報の効率的な配信、受信を提供することにある。
【０００４】
【課題を解決するための手段】
本発明のシステムは、加入者の時間位置情報を自動または手動により、時間と位置情報を時間位置サーバへ取得し、時間位置情報データベースを構築する。さらに構築した時間位置情報データベースを元に統計処理をおこない統計的な統計情報データベースを構築する。この２つのデータベースと顧客情報より構築する公開顧客情報データベースの計３つデータベースをもとに検索をし、広告代理店等の情報提供者より提供される広告等の配信情報を配信する。また、検索条件により個人の特定をさけるために検索結果の個数を制限する仕組みと、検索キーの個数と検索結果の個数に対しての課金をする仕組みを設ける。
【０００５】
【発明の実施の形態】
図１は、時間位置情報をもとに配信情報を配信するシステムの一例である。サービス業者１１６は、加入者１０１より、時間位置情報１０２を時間位置サーバ１１０により、一定間隔以下で取得を行い、時間位置データベース１１２へ登録を行う。さらに、時間位置サーバ１１０は、一定間隔以下で時間位置データベース１１２を統計処理し、統計情報データベース１１３の更新を行う。また、情報提供者１０４が、配信情報１０５と配信情報を受信する対象を特定するための検索条件１０６をサービス業者１１６へ送信した時、サービス業者１１６は、利用データサーバ１０９で受信し、検索条件１０６に課金処理をし、利用情報１０７を作成する。さらに利用データサーバ１０９は、受信した検索条件１０６を検索サーバに送信する。検索サーバ１１１は、利用データサーバ１０９より送信された検索条件１０６と時間位置データベース１１２、統計情報データベース１１３、公開顧客情報データベース１１４を使用して、検索を実行し検索結果を利用データサーバ１０９へ送信する。次に、利用データサーバ１０９は、検索サーバ１１１より送信された検索結果に課金処理を行い利用情報１０７を更新し、情報提供者１０４へ利用情報１０７を送信する。さらに、利用データサーバは１０９は、検索結果と配信情報１０５をデータ配信サーバ１０８へ送信する。データ配信サーバ１０８は、検索結果と顧客情報データベース１１５を使用して、配信情報１０５を受信情報１０３として、加入者１０１へ送信する。ここで、加入者１０１、情報提供者１０４、サービス業者１１６の通信手段は、電話回線やＩＰネットワーク等の公衆ネットワークを使用しても良いし、専用回線を使用しても良い。図２は、サービス業者１１６の時間位置サーバ１１０の動作の一例である。時間位置サーバ１１０は、加入者１０１が自動または手動により測位２０１を行い作成した時間位置情報１０２を一定間隔以下で取得し、登録処理２０２を行い、時間位置データベースへ登録する。さらに、時間位置サーバ１１０は、一定間隔以下で時間位置データベース１１２、統計情報データベース１１３を呼び出し、統計処理２０３を実行した後に統計情報データベース１１３を更新する。また、時間位置サーバ１１０は、これらの動作を一定間隔以下で繰り返し継続的に時間位置データベース１１２、統計情報データベース１１３の登録または、更新を行ってもよい。ここで、測位２０１とは、加入者１０１のその時点での位置情報を取得する手段により位置情報を取得することであり、例えば、ｇｐｓＯｎｅのようにＧＰＳ等緯度経度を取得することでも良い。
図３は、利用データサーバ１０９、検索サーバ１１１、配信サーバ１０８の動作の一例である。利用データサーバ１０９は、情報提供者１０４より、配信情報１０５と検索条件１０６を受信し、利用情報１０７を作成する利用情報作成処理３０４を行う。さらに、検索条件１０６を検索サーバ１１１へ送信する。検索サーバ１１１は、利用データサーバ１０９より検索条件１０６を受信し、検索処理３０２を実行し検索結果３０１を利用データサーバ１０９へ送信する。次に、利用データサーバ１０９は、検索サーバ１１１より受信した検索結果３０１と検索条件１０６に課金処理を行い利用情報１０７を更新する利用情報更新処理３０５をし、情報提供者１０４へ利用情報１０７を通知する。さらに利用データサーバ１０９は、配信情報１０５と検索結果３０１を配信サーバ１０８へ送信する。配信サーバ１０８は、受信した配信情報１０５と検索結果３０１を使用し配信処理３０３を実行し、加入者１０１へ受信情報１０３を通知する。
図４に、時間位置データベース１１２の情報形式の一例を示す。加入者１０１を識別する識別ＩＤ４０１と加入者１０１が測位２０１した位置情報４０２と時間情報４０３を関連づけし蓄積をする。
図５に、統計情報データベース１１３の情報形式の一例を示す。時間位置データベース１１２の位置情報４０２を基に地区区分５０１、詳細区分５０２として、時間情報４０３を基に曜日区分５０３、時間帯区分５０４として、識別ＩＤ４０１と関連づけしデータを蓄積する。この様に時間位置データベース１１２の情報を基に統計情報データベース１１３のデータを生成することを統計処理２０３とする。
図６に、時間位置サーバ１１０が加入者１０１より送信される時間位置情報１０２のデータフォーマットの一例を示す。制御情報６０１は、加入者１０１よりサービス業者１１６に送信する際の通信手段を制御する情報であり、識別ＩＤ４０１は加入者１０１を識別する識別子、位置情報４０２と時間情報４０３は、加入者１０１が測位２０１した位置情報と時間である。
図７に、公開顧客情報データベースの情報形式の一例を示す。加入者１０１に関する年齢区分７０１、性別７０２、居住区分７０３、職業７０４と識別ＩＤ４０１を関連づけて蓄積している。
図８に、顧客情報データベースの情報形式の一例を示す。加入者１０１の識別ＩＤ４０１と加入者１０１へ受信情報１０３を送信する先、情報送信先８０１を関連づけしたデータを蓄積している。
図９は、図１のシステムを使用したサービスのフローの一例である。加入者１０１は、サービス業者１１６と情報提供契約９０１を結ぶ。必要に応じてサービス業者１１６は、位置検出装置９０３を加入者１０１へ送る。加入者１０１は情報提供確認９０５をサービス業者１１６に送る。サービス業者１１６は情報提供確認９０４を確認した後、時間位置情報１０２を取得し、データベースの更新作業を行う。一方、情報提供者１０４は、サービス業者１１６とデータベースアクセス及び情報配信契約９０２を結ぶ。サービス業者１１６は、検索条件テーブル９０４を情報提供者１０４に送る。情報提供者１０４は、配信したい配信情報１０５と配信したい対象を検索する検索条件１０６をサービス業者１１６に送る。サービス業者１１６は、受け取った検索条件１０６を使用して配信する対象を検索を行い配信情報１０５を受信情報１０３として加入者１０１に送る。さらに、サービス業者１１６は、検索条件１０６と検索結果３０１に課金処理を行い利用情報１０７を作成し、情報提供者１０４へ利用情報１０７を送る。加入者１０１は少なくとも１名以上であり、情報提供者１０４は、１名でも良いし、１名以上の複数名であっても良い。
図１０に検索条件により個人の特定をさけるために検索結果の個数を制限する仕組みの実現する図３の利用情報更新処理３０５のフローの一例を示す。１００１で検索結果受信し、１００２で検索結果が規定の個数以上か判定し、条件が満たされていれば１００３で課金処理を行い利用情報１０７を１００５で更新。条件が満たされていなければ１００４で再検索を要求する検索情報１１０２を作成し、１００５で利用情報１０７を更新。
図１１は、利用情報１０７のフォーマットの一例を示す。情報提供者１０４の情報提供者識別子１１０１と検索条件１０６、検索結果３０１等からなる検索情報１１０２と課金情報１１０３と配信する配信情報１０５やサービス業者１１６より通知する情報からなる通知情報１１０４である。
【０００６】
【発明の効果】
本発明のシステムは、加入者の時間情報と位置情報を関連づけてデータベース化し、これを基に統計処理を行い統計情報データベースを構築する。これにより情報提供者は、過去の位置情報より対象の行動を予測することができ、配信する情報にマッチした対象に情報配信ができる。また、加入者においても、加入者の行動範囲の情報を入手する可能性が高く、有益な情報を入手する可能性が高い情報配信サービスを受けることができる。
【図面の簡単な説明】
【図１】本発明の情報配信システムの１例。
【図２】本発明の時間位置サーバ動作の１例。
【図３】本発明の利用データサーバ、検索サーバ、配信サーバの動作の１例。
【図４】本発明の時間位置データベースの情報形式の１例。
【図５】本発明の統計情報データベースの情報形式の１例。
【図６】本発明の時間位置情報のデータフォーマットの１例。
【図７】本発明の公開顧客情報データベースの情報形式の１例。
【図８】本発明の顧客情報データベースの情報形式の１例。
【図９】本発明のサービスのフローの１例。
【図１０】本発明の利用情報更新処理フローの１例。
【図１１】本発明の利用情報のフォーマットの１例。
【符号の説明】
１０１…加入者、１０２…時間位置情報、１０３…受信情報、１０４…情報提供者、
１０５…配信情報、１０６…検索条件、１０７…利用情報、１０８…データ配信サーバ、
１０９…利用データサーバ、１１０…時間位置サーバ、１１１…検索サーバ、
１１２…時間位置データベース、１１３…統計情報データベース、
１１４…公開顧客情報データベース、１１５…顧客情報データベース、
１１６…サービス業者、２０１…測位、２０２…統計処理、３０１…検索結果、３０２…検索処理、３０３…配信処理、３０４…利用情報作成処理、
３０５…利用情報更新処理、４０１…識別ＩＤ、４０２…位置情報、４０３…時間情報、
５０１…地域区分、５０２…詳細区分、５０３…曜日区分、５０４…時間帯区分、
６０１…制御情報、７０１…年齢区分、７０２…性別、７０３…居住区分、７０４…職業、
８０１…情報送信先、９０１…情報提供契約、
９０２…データベースアクセス及び情報配信契約、９０３…位置検出装置、
９０４…情報提供確認、１００１…検索結果受信、１００２…個数条件の判定、１００３…課金処理、１００４…検索情報作成、１００５…利用情報更新、
１１０１…情報提供者識別子、１１０２…検索情報、１１０３…課金情報、
１１０４…通知情報。
【図１】
2004126897.tif 000003
【図２】
2004126897.tif 000004
【図３】
2004126897.tif 000005
【図４】
2004126897.tif 000006
【図５】
2004126897.tif 000007
【図６】
2004126897.tif 000008
【図７】
2004126897.tif 000009
【図８】
2004126897.tif 000010
【図９】
2004126897.tif 000011
【図１０】
2004126897.tif 000012
【図１１】
2004126897.tif 000013